(57)【要約】【課題】断熱箱体と断熱扉との間からの侵入熱を低減して、省エネルギー性を高めた冷蔵庫の提供。【解決手段】断熱箱体１と断熱扉５との間に形成される隙間２０の外側部分をガスケット１８でシールするとともに、ガスケットよりも内側部分をシール部材１９でシールし、前記シール部材１９は断面略Ｕ字状に形成してＵ字状開口部がガスケット１８側に開口するように設けた構成としてある。これにより、ガスケット１８からシール部材１９の開口部を介してその略Ｕ字状部分までの空間を断熱用空間２０ａとすることができ、断熱箱体と断熱扉との間の隙間のほぼ全域を断熱用空間として利用できる。したがって、ガスケットとシール部材による二重シール効果に加え、当該ガスケットとシール部材との間の断熱用空間が長くなって外部からの熱貫流による侵入熱をより強力に低減することができる。【選択図】図６
2017032239.tif 000002
【特許請求の範囲】
【請求項１】
内箱と外箱との間に断熱材を充填して形成した断熱箱体と、前記断熱箱体内の貯蔵室を開閉する断熱扉と、前記断熱箱体と前記断熱扉との間に形成される隙間の外側部分をシールするガスケットと、前記ガスケットよりも内側部分に位置して前記断熱箱体と前記断熱扉との隙間をシールする前記ガスケットとは独立した別体のシール部材とを備え、前記シール部材は断面略Ｕ字状に形成して当該略Ｕ字状の開口部が前記ガスケット側に開口するように配置した冷蔵庫。
【請求項２】
シール部材は装着部となる硬質基部とこれに連なる軟質シール部とで断面略Ｕ字状に形成し、前記硬質基部を断熱扉或いは断熱箱体に装着するとともに、軟質シール部は断熱箱体と断熱扉との間の隙間から断面略Ｕ字状の屈曲部が貯蔵室内にはみ出す位置に配置して当該隙間をシールする構成とした請求項１に記載の冷蔵庫。
【請求項３】
断熱箱体は貯蔵室の開口周縁部に平面部と平面部の内側部分に連なる段差部とを備えるとともに、扉もその周縁部内面に扉平面部とこれに連なる扉段差部を備え、前記各平面部と各段差部との間に形成される隙間の平面部側隙間にガスケットを設置するとともに段差部側隙間にシール部材を設置した請求項１または２に記載の冷蔵庫。
【発明の詳細な説明】
【技術分野】
【０００１】
本発明は冷蔵庫、特にその扉のシール構成に関するものである。
【背景技術】
【０００２】
一般に家庭用電化機器において冷蔵庫は一日中稼働しているため電力消費が高く、省エネルギー化が強く求められている。この省エネルギー化を進める方策の一つとして冷蔵庫本体の断熱性強化があげられる。この冷蔵庫本体の断熱性強化は真空断熱材の採用により大幅に向上しているが、冷蔵庫本体の扉で開閉される貯蔵室開口周縁部分と扉との間では断熱構造が途切れるため当該部分から外部熱が冷蔵庫本体内へ侵入し、その断熱性を低下させる。
【０００３】
そこで、従来は、この冷蔵庫本体の貯蔵室を閉じる扉にシール部材を二箇所設けて、冷蔵庫本体と扉との間を二重にシールしたものが見られる（例えば、特許文献１参照）。
【０００４】
図７は特許文献１の実施の形態２に記載されている冷蔵庫を示し、５１は冷蔵庫本体の断熱箱体、５２は断熱扉、５３は前記断熱扉５２によって開閉される貯蔵室である。前記断熱箱体５１は貯蔵室５３の開口周縁前面に平面部５４と段差部５５を有し、これと略同形状に形成された断熱扉５２の内面との間に形成される隙間５６の外側部分と内側部分との二箇所にシール部材５７、５８が設けてある。
【０００５】
以上のように構成された冷蔵庫は、断熱扉５２を閉扉すると、シール部材５７が断熱箱体５１の平面部５４に圧接され開口部を気密シールする。そして同時にもう一つのシール部材５８が段差部５５で当接シールし、結果的に貯蔵室５３を二重にシールすることになる。しかも上記二重シールによってシール部材５７とシール部材５８との間の空間５９は空気対流がほとんどない熱伝達係数の微少な断熱用空間となり、外部からの熱貫流量が大きく抑えられ、前記二重シールと合わさって貯蔵室５３内への侵入熱量を低減でき断熱性が高まる、というものである。
【先行技術文献】
【特許文献】
【０００６】
【特許文献１】特開２０００−３０４４２１号公報
【発明の概要】
【発明が解決しようとする課題】
【０００７】
しかしながら、上記従来の構成では、断熱扉５２の内側部分をシールするシール部材５８の扉装着部となる基部５８ａとヒレ状のシール用柔軟部５８ｂとが直線状になっているため、その断熱性向上に関しては今一歩の面があった。すなわち、上記シール部材５８がその基部５８ａにシール用柔軟部５８ｂを直線状に形成したものであると、当該シール部材５８と外側部分に設けたもう一つのシール部材５７との間に形成される熱貫流防止用の断熱用空間５９がシール部材５７からシール部材５８のヒレ状柔軟部５８ｂまでの間となって基部５８ａが存する部分の隙間が断熱用空間として機能せず、その分断熱用空間効果が少ないものとなる。換言すると、断熱箱体５１と断熱扉５２との間に形成される隙間５６を有効に断熱用空間５９として生かし切れておらず、その断熱性には改善の余地があった。
【０００８】
本発明はこのような点に鑑みてなしたもので、断熱箱体と断熱扉との間の隙間を有効に断熱用空間として利用できるようにして外部からの侵入熱をより強力に低減し、断熱性を
向上させて省エネルギー性を高めた冷蔵庫の提供を目的としたものである。
【課題を解決するための手段】
【０００９】
本発明は上記目的を達成するため、断熱箱体と断熱扉との間に形成される隙間の外側部分をガスケットでシールするとともに、前記ガスケットよりも内側部分を前記ガスケットとは独立した別体のシール部材でシールし、前記シール部材は断面略Ｕ字状に形成して当該略Ｕ字状の開口部が前記ガスケット側に開口するように配置した構成としてある。
【００１０】
これにより、ガスケットからシール部材の略Ｕ字状屈曲部までの空間を断熱用空間とすることができ、シール部材の装着部となる部分の隙間を含む断熱箱体と断熱扉との間の隙間のほぼ全域を断熱用空間として利用できるようになって、断熱性が高まる。すなわち、ガスケットとシール部材との間に形成する断熱用空間を長くすることができて外部からの熱貫流による侵入熱をより強力に低減することができ、断熱性を高めることができる。しかも略Ｕ字状としたことによって断熱扉の開扉方向の遊びを大きくすることができ、断熱扉を閉めた時のシール部材の反発を少なくすると同時に確実なシールを可能として外部熱の侵入防止効果を高めることができる。
【発明の効果】
【００１１】
本発明は、上記した構成により、断熱箱体と断熱扉との間から侵入する外部熱をより強力に低減して断熱性を高め、省エネルギー性の高い冷蔵庫とすることができる。
【図面の簡単な説明】
【００１２】
【図１】本発明の実施の形態１における冷蔵庫の外観正面図
【図２】同冷蔵庫の冷凍室部分の断熱扉を開いた状態を示す正面図
【図３】同冷蔵庫の図１におけるＡ−Ａ断面図
【図４】同図３の要部拡大断面図
【図５】同冷蔵庫の図１におけるＢ−Ｂ断面図
【図６】同図５の要部拡大断面図
【図７】従来の冷蔵庫の断熱箱体と断熱扉との間のシール構成を示す断面図
【発明を実施するための形態】
【００１３】
第１の発明は、内箱と外箱との間に断熱材を充填して形成した断熱箱体と、前記断熱箱体内の貯蔵室を開閉する断熱扉と、前記断熱箱体と前記断熱扉との間に形成される隙間の外側部分をシールするガスケットと、前記ガスケットよりも内側部分に位置して前記断熱箱体と前記断熱扉との隙間をシールする前記ガスケットとは独立した別体のシール部材とを備え、前記シール部材は断面略Ｕ字状に形成して当該略Ｕ字状の開口部が前記ガスケット側に開口するように配置した構成としてある。
【００１４】
これにより、ガスケットからシール部材の略Ｕ字状屈曲部までの空間を断熱用空間とすることができ、シール部材の装着部となる部分の隙間を含む断熱箱体と断熱扉との間の隙間のほぼ全域を断熱用空間として利用できるようになって、断熱性が高まる。すなわち、ガスケットとシール部材との間に形成する断熱用空間が長くなって外部からの熱貫流による侵入熱をより強力に低減することができ、断熱性を高めることができる。しかも略Ｕ字状としたことによって断熱扉の開扉方向の遊びを大きくすることができ、断熱扉を閉めた時のシール部材の反発を少なくすると同時に確実なシールを可能として外部熱の侵入防止効果を高めることができる。
【００１５】
第２の発明は、第１の発明において、前記シール部材は装着部となる硬質基部とこれに連なる軟質シール部とで断面略Ｕ字状に形成し、前記硬質基部を断熱扉或いは断熱箱体に装着するとともに、軟質シール部は断熱箱体と断熱扉との間の隙間から断面略Ｕ字状の屈
曲部が貯蔵室内にはみ出す位置に配置して当該隙間をシールする構成としてある。
【００１６】
これにより、シール部材によるシールは軟質シール部によって確実に行うことができるとともに、断熱扉或いは断熱箱体への装着は硬質基部によって確実なものとすることができる。しかも上記硬質基部から軟質シール部へと連なる略Ｕ字状屈曲部は柔軟性に欠け硬度の高い性状となっているが、この部分は断熱箱体と断熱扉との間に位置することなく貯蔵室内にはみ出しているので、当該略Ｕ字状屈曲部が断熱箱体と断熱扉との間に位置してその大きな弾性反発力により断熱扉を開扉方向に押しもう一方のシール部となるガスケットの密着性を低下させるようなこともなくなる。すなわち、シール部材を断面略Ｕ字状に形成して断熱用空間を長くすることができるようにしたことによる障害発生を防止しつつ断熱箱体と断熱扉との間の断熱性を高めることができる。
【００１７】
第３の発明は、前記断熱箱体は貯蔵室開口周縁部に平面部と平面部の内側部分に連なる段差部とを備えるとともに、扉もその周縁部内面に扉平面部とこれに連なる扉段差部を備え、前記各平面部と各段差部との間に形成される隙間の平面部側隙間にガスケットを設置するとともに段差部側隙間にシール部材を設置した構成としてある。
【００１８】
これにより、断熱箱体と断熱扉との間の隙間を階段状の屈曲したものとしてガスケットとシール部材との間の断熱用空間をより長いものとすることができ、外部からの熱貫流抑制効果を高め外部熱の侵入をより強力に低減することができる。
【００１９】
以下、本発明の実施の形態について、図面を参照しながら説明する。なお、この実施の形態によって本発明が限定されるものではない。
【００２０】
（実施の形態１）
図１は本発明の実施の形態１における冷蔵庫の外観正面図、図２は同冷蔵庫の冷凍室部分の断熱扉を開いた状態を示す正面図、図３は同冷蔵庫の図１におけるＡ−Ａ断面図、図４は同図３の要部拡大断面図、図５は同冷蔵庫の図１におけるＢ−Ｂ断面図、図６は同図５の要部拡大断面図である。
【００２１】
図１、図２は本発明の実施の形態１における冷蔵庫を示し、その冷蔵庫本体となる断熱箱体１は上部に冷蔵室２、下部に冷凍室３となる二つの貯蔵室を有している。そして前記断熱箱体１の冷蔵室２、冷凍室３それぞれの前面開口部は、断熱箱体１に軸支した開閉式の断熱扉４、５によって開閉自在としてある。なお、断熱扉５はヒンジによる開閉式だけでなく、引出し式にしてもよい。
断熱箱体１は、図３〜図６に示すように鋼板で形成した外箱６とＡＢＳなどの硬質樹脂で成型した内箱７との間に硬質発泡ウレタン等の発泡断熱材８を充填発泡させて構成してあり、強力な断熱性を必要とする冷凍室３の開口端面部には平面部９と段差部１０が形成してある。
【００２２】
また、上記冷凍室３を開閉する断熱扉５は、鋼板で形成した外装板１１とＡＢＳなどの硬質樹脂で成型した内箱フレーム１２ならびに内面板１４との三者間に硬質発泡ウレタン等の発泡断熱材１５を充填発泡させて構成してあり、その内面板１４周縁部分には前記断熱箱体１の平面部９と段差部１０とに対向する扉平面部１６と扉段差部１７が形成してある。
【００２３】
そして、上記断熱扉５はその内面板１４の扉平面部１６にガスケット１８を装着するとともに、その内側の扉段差部１７にシール部材１９が装着してある。
【００２４】
上記ガスケット１８およびシール部材１９は、前記断熱扉５を閉扉した際に生じる断熱箱体１の平面部９および段差部１０と断熱扉５の扉平面部１６および扉段差部１７との間の階段状の隙間２０をシールしている。すなわち、ガスケット１８は隙間２０の外側部分をシールするとともに、シール部材１９はその内側部分をシールし、二重シールを行っている。
【００２５】
ガスケット１８は、一般周知のパッキン、例えば磁石を内包した軟質ゴム製のマグネットパッキンで構成してあり、扉平面部１６に接着等によって装着してその一部が閉扉時に断熱箱体１の平面部９に弾性的に圧接しシールする。
【００２６】
一方、シール部材１９は、塩化ビニル、シリコンその他のエラストマー材料を押し出し成形などによって断面略Ｕ字状となるように形成してあり、硬質基部２１とこれに連なる軟質シール部２２とを有している。
【００２７】
上記シール部材１９は、略Ｕ字状の開口部、すなわち軟質シール部２２の端縁の開口部分が前記ガスケット１８側に開口するようにその硬質基部２１を例えば扉段差部１７に接着等によって装着してある。そして更に、前記シール部材１９は、硬質基部２１と軟質シール部２２との境目となっていて若干硬さが残る略Ｕ字状の屈曲部２３が隙間２０に位置することなく冷凍室３内にはみ出すような形で軟質シール部２２の開口端部が隙間２０部分に位置するよう配置してあり、当該軟質シール部２２の開口端部リップが冷凍室３の段差部１０壁面に密着し隙間２０をシールしている。
【００２８】
なお、図５、図６中、２４は断熱箱体１内を冷蔵室２と冷凍室３に仕切る仕切板で、その前端部分に前記した平面部９と段差部１０が形成してある。また、図２中、２５は冷凍室３内に設けた棚板である。
【００２９】
以上のように構成された冷蔵庫について、以下その動作、作用を説明する。
【００３０】
まず上記冷蔵庫は、断熱箱体１と断熱扉５との間の隙間２０にガスケット１８とシール部材１９を設けているので、このガスケット１８とシール部材１９とによる二重シール効果と、当該ガスケット１８とシール部材１９との間に形成される断熱用空間２０ａの外部からの熱貫流抑制効果とが合わさって従来と同様冷凍室３内への侵入熱量を低減できる。
【００３１】
その際この冷蔵庫では、上記シール部材１９を断面略Ｕ字状に形成して当該略Ｕ字状の開口部が前記ガスケット１８側に開口するように設けてあるから、ガスケット１８からシール部材１９の略Ｕ字状屈曲部２３までの空間を断熱用空間２０ａとすることができ、断熱用空間２０ａの断熱効果が高いものとなる。
【００３２】
すなわち、シール部材１９の硬質基部２１を装着した部分の隙間は開口部を介してガスケット１８まで連通した一連の空間を形成して、当該硬質基部２１装着部分の隙間を含む断熱箱体１と断熱扉５との間の隙間２０のほぼ全域を断熱用空間２０ａとして利用できるようになる。その結果、ガスケット１８とシール部材１９との間に形成する断熱用空間２０ａの寸法が長くなって外部からの熱貫流による侵入熱をより強力に低減することができるようになり、その断熱効果が高いものとなるのである。
【００３３】
しかも上記シール部材１９は略Ｕ字状に形成したことによって、断熱扉５の開扉方向（図４、図６の矢印Ａ）の遊びを大きくすることができる。したがって、断熱扉５を閉めてシール部材１９が断熱箱体１に圧着した際に生じる軟質シール部２２の反発力を少ないものとすることができると同時に、確実なシールが可能となる。これにより、シール部材１９による外部熱の侵入防止効果を更に高めることができる。
【００３４】
またこの実施の形態では、上記シール部材１９は硬質基部２１を断熱扉５に装着した際、上記硬質基部２１から軟質シール部２２へと連なっていて比較的硬度の高い略Ｕ字状の屈曲部２３が冷凍室３内にはみ出す形となる位置に設けてあるので、当該略Ｕ字状の屈曲部２３が断熱箱体１と断熱扉５との間に位置してその大きな弾性反発力が断熱扉５を押しもう一方のシール部となるガスケット１８の密着性を低下させるようなことがなくなる。したがって、シール部材１９を断面略Ｕ字状にして断熱用空間２０ａを長く取ることができるようにしたことによる密着性低下障害の発生を防止しつつ断熱箱体１と断熱扉５との間の断熱性を高めることができる。
【００３５】
また、シール部材１９は硬質基部２１を断熱扉５に装着して略Ｕ字状に連なる軟質シール部２２を断熱箱体１の冷凍室３内壁面に密着させた構成としてあるから、シール部材１９によるシールは軟質シール部２２によって確実に行い、断熱扉５への装着は硬質基部２１によって確実なものとすることができる。
【００３６】
更に、前記冷蔵庫の断熱箱体１は、冷凍室３の開口周縁部に平面部９とこれに連なる段差部１０を設けるとともに、断熱扉５にも同様の扉平面部１６とこれに連なる扉段差部１７を設けてこれらの間に階段状の隙間２０を形成し、この階段状の隙間２０の平面部９、１６にガスケット１８を設置するとともに、段差部１０、１７にシール部材１９を設置した構成としてあるから、ガスケット１８とシール部材１９との間に形成される断熱用空間２０ａを階段状に屈曲したより長いものとすることができ、外部からの熱貫流抑制効果を高め外部熱の侵入をより強力に低減することができる。
【００３７】
以上、本発明に係る冷蔵庫について、上記実施の形態を用いて説明してきたが、上記実施の形態で説明した構成は本発明を実施する一例として示したものであり、本発明の目的を達成する範囲で種々変更可能なことは言うまでもない。
【００３８】
例えば、この実施の形態では貯蔵室として冷蔵室２と冷凍室３の二室を備えた冷蔵庫を例示したが、野菜室等の貯蔵室を更に備えたものであってもよいし、ガスケット１８およびシール部材１９は冷凍室３以外に冷蔵室２等の他の貯蔵室にも設ける構成としてもよく、更にガスケット１８およびシール部材１９は断熱扉５側に装着したものを例示したが、これは断熱箱体１側に装着してもよいものである。
【００３９】
また、この実施の形態ではシール部材１９は貯蔵室の全周４辺に形成したものを例示したが、少なくともヒンジとは反対側の辺にシール部材を備えてもよいものである。
【産業上の利用可能性】
【００４０】
本発明は、断熱箱体と断熱扉との間から侵入する外部熱をより強力に低減して断熱性を高め、省エネルギー性の高い冷蔵庫とすることができ、家庭用はもちろん業務用冷蔵庫やショーケース等多くの用途に幅広く適用することができる。
【符号の説明】
【００４１】
１  断熱箱体
２  冷蔵室
３  冷凍室（貯蔵室）
４、５  断熱扉
６  外箱
７  内箱
８  発泡断熱材
９  平面部
１０  段差部
１１  外装板
１２  内箱フレーム
１４  内面板
１５  発泡断熱材
１６  扉平面部
１７  扉段差部
１８  ガスケット
１９  シール部材
２０  隙間
２０ａ  断熱用空間
２１  硬質基部
２２  軟質シール部
２３  屈曲部
２４  仕切板
２５  棚板
【図１】
2017032239.tif 000003
【図２】
2017032239.tif 000004
【図３】
2017032239.tif 000005
【図４】
2017032239.tif 000006
【図５】
2017032239.tif 000007
【図６】
2017032239.tif 000008
【図７】
2017032239.tif 000009